【手続補正書】
【提出日】平成17年8月25日(2005.8.25)
【手続補正１】
【補正対象書類名】明細書
【補正対象項目名】特許請求の範囲
【補正方法】変更
【補正の内容】
【特許請求の範囲】
【請求項１】
平面方向に大きさの異なる第１の基板と第２の基板のいずれか一方に、発光素子を複数有する画素部を形成し、
前記画素部を含む所定の領域を囲むように前記第１の基板または前記第２の基板上に第１のシールパターンを形成し、
前記所定の領域が、前記第１の基板、前記第２の基板、および前記第１のシールパターンで囲まれた空間に位置するように前記第１の基板と前記第２の基板とを貼り合わせ、
前記第１の基板または前記第２の基板のいずれか一方のオフセット領域から前記第１の基板または前記第２の基板のいずれか他方の基板端部にかけて第２のシールパターンを形成することにより、前記第１の基板及び前記第２の基板との隙間周辺を封じることを特徴とする発光装置の作製方法。
【請求項２】
第１の基板と、前記第１の基板よりも平面方向に小さい第２の基板のいずれか一方に、発光素子を複数有する画素部を形成し、
前記画素部を含む所定の領域を囲むように前記第１の基板または前記第２の基板上に第１のシールパターンを形成し、
前記所定の領域が、前記第１の基板、前記第２の基板、および前記第１のシールパターンで囲まれた空間に位置するように前記第１の基板と前記第２の基板とを貼り合わせ、
前記第１の基板上であって、前記第２の基板と重ならないオフセット領域から前記第２の基板の端部にかけて第２のシールパターンを形成することにより、前記第１の基板および前記第２の基板との隙間周辺を封じることを特徴とする発光装置の作製方法。
【請求項３】
第１の基板上に発光素子を有する画素部を複数形成し、
前記第１の基板上に前記画素部をそれぞれ含む複数の領域をそれぞれ囲むように第１のシールパターンを複数形成し、
前記複数の領域が、それぞれ前記第１の基板、第２の基板、および前記第１のシールパターンで囲まれた空間に位置するように前記第１の基板上に複数の前記第２の基板をそれぞれ貼り合わせ、
前記第１の基板上であって、前記第２の基板と重ならないオフセット領域から前記第２の基板の端部にかけて第２のシールパターンを形成することにより、前記第１の基板および前記第２の基板との隙間周辺を封じ、
前記第１のシールパターンおよび前記第２のシールパターンを硬化させ、
前記第１の基板を、前記第２の基板で貼り合わされた前記画素部を含む領域毎に切り離すことを特徴とする発光装置の作製方法。
【請求項４】
平面方向に大きさの異なる第１の基板と第２の基板のいずれか一方に、発光素子を複数有する画素部を形成し、
前記第２の基板上の所定の位置に１または２以上の乾燥剤を備え、
前記画素部を含む所定の領域を囲むように前記第１の基板または前記第２の基板上に第１のシールパターンを形成し、
前記所定の領域が、前記第１の基板、前記第２の基板、および前記第１のシールパターンで囲まれた空間に位置するように前記第１の基板と前記第２の基板とを貼り合わせ、
前記第１の基板または前記第２の基板のいずれか一方のオフセット領域から前記第１の基板または前記第２の基板のいずれか他方の基板端部にかけて第２のシールパターンを形成することにより、前記第１の基板および前記第２の基板との隙間周辺を封じることを特徴とする発光装置の作製方法。
【請求項５】
第１の基板と、前記第１の基板よりも平面方向に小さい第２の基板のいずれか一方に、発光素子を複数有する画素部を形成し、
前記第２の基板上の所定の位置に１または２以上の乾燥剤を備え、
前記画素部を含む所定の領域を囲むように前記第１の基板または前記第２の基板上に第１のシールパターンを形成し、
前記所定の領域が、前記第１の基板、前記第２の基板、および前記第１のシールパターンで囲まれた空間に位置するように前記第１の基板と前記第２の基板とを貼り合わせ、
前記第１の基板上であって、前記第２の基板と重ならないオフセット領域から前記第２の基板の端部にかけて第２のシールパターンを形成することにより、前記第１の基板および前記第２の基板との隙間周辺を封じることを特徴とする発光装置の作製方法。
【請求項６】
第１の基板上に発光素子を有する画素部を複数形成し、
前記第１の基板上に前記画素部をそれぞれ含む複数の領域をそれぞれ囲むように第１のシールパターンを複数形成し、
第２の基板上の所定の位置に１または２以上の乾燥剤を備え、
前記複数の領域が、それぞれ前記第１の基板、前記第２の基板、および前記第１のシールパターンで囲まれた空間に位置するように前記第１の基板上に複数の前記第２の基板をそれぞれ貼り合わせ、
前記第１の基板上であって、前記第２の基板と重ならないオフセット領域から前記第２の基板の端部にかけて第２のシールパターンを形成することにより、前記第１の基板および前記第２の基板との隙間周辺を封じ、
前記第１のシールパターンおよび前記第２のシールパターンを硬化させ、
前記第１の基板を、前記第２の基板で貼り合わされた前記画素部を含む領域毎に切り離すことを特徴とする発光装置の作製方法。
【請求項７】
請求項４乃至請求項６のいずれか一において、
前記乾燥剤は前記第２の基板上の所定の位置に形成された窪みに備えられることを特徴とする発光装置の作製方法。
【請求項８】
請求項４乃至請求項７のいずれか一において、
前記乾燥剤のうち少なくとも１つは、前記第２の基板上であって、前記第１のシールパターンで囲まれた前記所定の領域の外側に備えられることを特徴とする発光装置の作製方法。
【請求項９】
請求項４乃至請求項８のいずれか一において、
前記乾燥剤のうち少なくとも１つは、前記第１の基板、前記第２の基板、前記第１のシールパターン、および前記第２のシールパターンで囲まれた空間に備えられることを特徴とする発光装置の作製方法。
【請求項１０】
請求項１乃至請求項９のいずれか一において、
前記第１のシールパターンに用いた第１のシール剤および前記第２のシールパターンに用いた第２のシール剤を紫外線照射、加熱、または紫外線照射と加熱との組み合わせにより硬化させることを特徴とする発光装置の作製方法。
【請求項１１】
請求項１乃至請求項１０のいずれか一において、
前記第１のシールパターンに用いた第１のシール剤であるエポキシ系樹脂の粘性率が、前記第２のシールパターンに用いた第２のシール剤であるエポキシ系樹脂の粘性率よりも高いことを特徴とする発光装置の作製方法。
【請求項１２】
請求項１乃至請求項１１のいずれか一において、
前記第１のシールパターンの形成、前記第１の基板と前記第２の基板との貼り合わせ、および前記第２のシールパターンの形成を嫌気条件下で行うことを特徴とする発光装置の作製方法。
【請求項１３】
平面方向に大きさの異なる第１の基板および第２の基板と、
前記第１の基板または前記第２の基板のいずれか一方に形成された発光素子を複数有する画素部と、
第１のシールパターンおよび第２のシールパターンとを有し、
前記画素部は、対向する前記第１の基板と前記第２の基板、および前記第１のシールパターンで囲まれた空間に位置し、
前記第２のシールパターンは、前記第１の基板または前記第２の基板のいずれか一方のオフセット領域から、前記第１の基板または前記第２の基板のいずれか他方の基板端部にかけて形成されていることを特徴とする発光装置。
【請求項１４】
第１の基板および前記第１の基板よりも平面方向に小さい第２の基板と、
前記第１の基板または前記第２の基板のいずれか一方に形成された発光素子を複数有する画素部と、
第１のシールパターンおよび第２のシールパターンとを有し、
前記画素部は、対向する前記第１の基板と前記第２の基板、および前記第１のシールパターンで囲まれた空間に位置し、
前記第２のシールパターンは、前記第１の基板上であって、前記第２の基板と重ならないオフセット領域から、前記第２の基板端部にかけて形成されていることを特徴とする発光装置。
【請求項１５】
平面方向に大きさの異なる第１の基板および第２の基板と、
前記第１の基板上に形成された発光素子を複数有する画素部と、
前記第２の基板の窪みに備えられた１または２以上の乾燥剤と、
第１のシールパターンおよび第２のシールパターンとを有し、
前記画素部は、対向する前記第１の基板と前記第２の基板、および前記第１のシールパターンで囲まれた第１の空間に位置し、
前記第２のシールパターンは、前記第１の基板または前記第２の基板のいずれか一方のオフセット領域から、前記第１の基板または前記第２の基板のいずれか他方の基板端部にかけて形成され、
前記乾燥剤のうち少なくとも１つは、前記第１の空間の外側であって、前記第１の基板、前記第２の基板、前記第１のシールパターン、および前記第２のシールパターンで囲まれた第２の空間に備えられていることを特徴とする発光装置。
【請求項１６】
第１の基板および前記第１の基板よりも平面方向に小さい第２の基板と、
前記第１の基板上に形成された発光素子を複数有する画素部と、
前記第２の基板の窪みに備えられた１または２以上の乾燥剤と、
第１のシールパターンおよび第２のシールパターンとを有し、
前記画素部は、対向する前記第１の基板と前記第２の基板、および前記第１のシールパターンで囲まれた第１の空間に位置し、
前記第２のシールパターンは、前記第１の基板上であって、前記第２の基板と重ならないオフセット領域から、前記第２の基板端部にかけて形成され、
前記乾燥剤のうち少なくとも１つは、前記第１の空間の外側であって、前記第１の基板、前記第２の基板、前記第１のシールパターン、および前記第２のシールパターンで囲まれた第２の空間に備えられていることを特徴とする発光装置。